(57)【要約】【課題】耐衝撃性を高め、耐久性を向上させて、破損や変形の発生を抑制するとともに、取り扱いの安全性を向上させた生物捕獲装置を提供する。【解決手段】複数のゴム製板が組み合わされて、内部が中空とされる生物捕獲装置であって、生物の出入り孔となる入口孔１１と、前記入口孔１１に対向し、牽引具の取付孔となる背面孔２１と、前記入口孔１１と前記背面孔２１によって構成される貫通孔と、組み合わされた前記複数のゴム製板を固定する木ねじ７０とを備え、前記木ねじ７０が、前記貫通孔の貫通方向と直交する方向に螺嵌されることを特徴とする。【選択図】図１
2004073108.tif 000002
【特許請求の範囲】
【請求項１】
内部が中空の生物捕獲装置であって、
前記生物捕獲装置は、
複数のゴム製板を組み合わせることによって構成され、
生物の出入り孔となる第１開口部と、
前記第１開口部に対向し、前記生物捕獲装置を牽引する牽引具の取付孔となる第２開口部と、
前記第１開口部と前記第２開口部によって構成される貫通孔と、
組み合わされた前記複数のゴム製板を固定する係合手段とを備え、
前記係合手段の作用方向が、前記貫通孔の貫通方向と直交する
ことを特徴とする生物捕獲装置。
【請求項２】
前記係合手段は、
木ねじの螺嵌によって、組み合わされた前記複数のゴム製板を固定する
ことを特徴とする請求項１記載の生物捕獲装置。
【請求項３】
前記係合手段は、さらに、
前記木ねじが嵌入される部分が座刳りされている
ことを特徴とする請求項２記載の生物捕獲装置。
【請求項４】
前記係合手段は、さらに、
前記木ねじの螺嵌される方向に、前記ゴム製板を貫通するネジ孔を備える
ことを特徴とする請求項２または３記載の生物捕獲装置。
【請求項５】
前記ネジ孔の径は、
前記木ねじの径よりも小さい
ことを特徴とする請求項４記載の生物捕獲装置。
【請求項６】
前記複数のゴム製板の少なくとも一の辺は、
面取りが施されている
ことを特徴とする請求項１〜５のいずれか１項に記載の生物捕獲装置。
【請求項７】
前記複数のゴム製板の少なくとも一の辺は、
Ｒ加工が施されている
ことを特徴とする請求項１〜６のいずれか１項に記載の生物捕獲装置。
【請求項８】
前記複数のゴム製板の少なくとも一の面は、
ソーカットまたはサイプが加工されている
ことを特徴とする請求項１〜７のいずれか１項に記載の生物捕獲装置。
【発明の詳細な説明】
【０００１】
【発明の属する技術の分野】
本発明は、生物捕獲装置に関し、特に水生生物を捕獲する生物捕獲装置に関する。
【０００２】
【従来の技術】
従来、海や河川等において、魚介類を捕獲するために罠を水中に仕掛けることが行なわれる。例えば、蛸を捕獲する罠としては、蛸が狭い所を好むという習性を利用して、本州以南の近海においては蛸壺が使用され、北海道近海においては、本州近海等の蛸よりも大型の蛸が生息するため、蛸壺よりも大なる蛸箱が使用されることが多い。
【０００３】
この蛸箱は、数枚の木製板を組み合わせて、釘を打ち付けることによって各木製板を固定して製作される。そして、罠を仕掛けるためには、海中の一定深度まで蛸箱を沈める必要があることから、比重が軽い木製である蛸箱の場合は、内部に石等の重量物を入れて海中に沈め、ロープ等を用いて海中から引き揚げるというように使用される。
【０００４】
【発明が解決しようとする課題】
しかしながら、木製の蛸箱は、耐衝撃性が低いため、蛸箱を海中に沈める際または海中から引き揚げる際にかかる水圧によって、破損や変形を起こし易い。さらに、長期間海水に浸されるため、腐食し易く、耐久性に欠け、せっかく海中で蛸箱内に蛸を捕獲しても、引き揚げ時の破損等によって、蛸を取り逃がしてしまうことになりかねない。特に、海中に沈めるために、石等の重量物を蛸箱内に入れることによって、重量物が蛸箱内部を傷つけてしまったり、蛸箱にかかる水圧が増加したりするため、蛸箱の破損や変形を増長させる要因となって、より蛸箱の耐久性を損ねるという問題もある。
【０００５】
また、蛸箱に用いられる木板の端部は角張っており、また、組み立てるために打ち付ける釘の頭部が突出したりする場合があるため、蛸箱を把持する際に、手に切り傷等を負うおそれがある。特に、蛸箱を海中から引き揚げて回収する際には、蛸箱の破損によって釘が剥き出しになってしまい、怪我をする危険が増すという問題もある。
【０００６】
そこで、本発明は、かかる問題点に鑑みなされたものであり、耐衝撃性を高め、耐久性を向上させて、破損や変形の発生を抑制した生物捕獲装置を提供することを目的とする。さらに、取り扱いの安全性を向上させた生物捕獲装置を提供することを第２の目的とする。
【０００７】
【課題を解決するための手段】
上記の目的を達成するために、本発明は、以下の技術的手段を講じている。
すなわち、上記第１の目的を達成するために、本発明に係る生物捕獲装置は、内部が中空の生物捕獲装置であって、前記生物捕獲装置は、複数のゴム製板を組み合わせることによって構成され、生物の出入り孔となる第１開口部と、前記第１開孔口に対向し、前記生物捕獲装置を牽引する牽引具の取付孔となる第２開口部と、前記第１開口部と前記第２開口部によって構成される貫通孔と、組み合わされた前記複数のゴム製板を固定する係合手段とを備え、前記係合手段の作用方向が、前記貫通孔の貫通方向と直交することを特徴とする。
【０００８】
また、上記第２の目的を達成するために、本発明に係る生物捕獲装置は、前記係合手段は、木ねじの螺嵌によって、組み合わされた前記複数のゴム製板を固定し、前記木ねじが嵌入される部分が座刳りされていることを特徴とする。
さらに、本発明に係る生物捕獲装置は、前記複数のゴム製板の少なくとも一の辺は、Ｒ加工が施されていることを特徴とする。
【０００９】
【発明の実施の形態】
以下、本発明に係る実施の形態について、図面を参照しながら詳細に説明する。
まず、本実施の形態の生物捕獲装置を構成する各部について、図１〜図５を参照しながら説明する。図１は、当該生物捕獲装置の外観斜視図であり、図２は、当該生物捕獲装置の分解斜視図であり、図３は、図１のＡ―Ａ´付近における正面断面図である。また、図４は、図１の前方部分の右側面図であり、図５は、図４の中心線Ｃ―Ｃ´で切断した場合の正面断面図である。
【００１０】
この生物捕獲装置１は、正面板１０、背面板２０、右側面板３０、左側面板４０、天板５０および底板６０を組み合わせ、各板を木ねじ７０により係止させることによって構成され、内部が中空の直方体または立方体の形状を有している。
【００１１】
正面板１０は、ゴムを加硫成形して生成され、生物捕獲装置の正面に配置される板であり、中央部に生物（例えば、蛸）が入り込む入口孔１１を備え、表面部にソーカット加工部１２を備え、かつ、各辺縁部にＲ加工部１３を備える。
【００１２】
入口孔１１は、生物が生物捕獲装置１の中に入り込むための開口孔であり、菱形、楕円形、四角形等の形状とされ、生物が入り込むことができる適度の大きさを有する。
【００１３】
ソーカット加工部１２は、正面板１０の表面に設けられる凸加工であり、図１において、正面板１０の表面に設けられた斜線が凸突起部となる。このソーカット加工部１２は、本発明に係る生物捕獲装置を把持する際の滑り止めとして作用し、また、正面板１０の表裏面を判別し易くして、組み立て方向の誤りを防ぐことができる。さらに、ソーカット加工部１２を設けることによって、装置の美的外観を向上させることができる。
【００１４】
図４に示されたＲ加工部１３は、正面板１０の各辺の縁に加えられた円弧上の曲線加工であり、正面板１０に限られず、背面板２０、右側面板３０、左側面板４０、天板５０および底板６０の各辺の縁にも加えられる。このＲ加工部１３が、生物捕獲装置１を構成するゴム製板の各辺の縁に加えられることによって、当該生物捕獲装置１を組み立てる際に、手に切り傷等を負う危険が少なくなる。
背面板２０は、ゴムを加硫成形して生成され、生物捕獲装置１の背面に配置される板であり、略中央部に紐やロープ等の牽引具を通す背面孔２１を備える。
【００１５】
背面孔２１は、背面板２０の略中央部に設けられる２つの孔であり、一方は、紐やロープ等の牽引具を通すための開口孔であり、通水孔としても機能する。そして、この背面孔２１の牽引具を通すための開口孔の方から、前記牽引具を生物捕獲装置１の内部に通し入れて、当該内部において、当該牽引具に背面孔２１の径よりも大なる結び目を作ることによって、当該牽引具が外れないようにする。なお、背面孔２１から前記牽引具を通して、生物捕獲装置１の内部において、背面孔２１の径よりも大なるストッパーに当該牽引具を締結させることとしてもよい。
また、他方は、生物が捕獲されたか否かを確認するために内部を覗くことができるようにした開口孔であり、通水孔としても機能する。
そして、この背面孔２１と前記正面板１０に設けられる入口孔１１とによって、生物捕獲装置１を貫通する装置貫通孔が構成されることとなり、生物捕獲装置１の内部における水の排出が前記装置貫通孔によって行なわれる。
【００１６】
右側面板３０は、ゴムを加硫成形して生成され、生物捕獲装置１の右側面に直立して配置される板であり、木ねじ７０が螺嵌された際に木ねじ７０の頭部を係止する複数個のねじ穴７１と、木ねじ７０の螺嵌を補助する複数個のガイド孔７２とを備える。
【００１７】
左側面板４０は、ゴムを加硫成形して生成され、生物捕獲装置１の左側面に直立して配置される板であり、木ねじ７０が螺嵌された際に木ねじ７０の頭部を係止する複数個のねじ穴７１と、木ねじ７０の螺嵌を補助する複数個のガイド孔７２とを備える。
【００１８】
天板５０は、ゴムを加硫成形して生成され、生物捕獲装置１の上蓋となる板であり、木ねじ７０が螺嵌された際に木ねじ７０の頭部を係止する複数個のねじ穴７１と、木ねじ７０の螺嵌を補助する複数個のガイド孔７２とを備える。
【００１９】
底板６０は、ゴムを加硫成形して生成され、生物捕獲装置１の底部となる板であり、底面の縁部に木ねじ７０が螺嵌された際に木ねじ７０の頭部を係止する複数個のねじ穴７１と、木ねじ７０の螺嵌を補助する複数個のガイド孔７２とを備える。
【００２０】
木ねじ７０は、組み合わされた各板を固定する止め具であり、海水に浸されても錆びにくいステンレス等の材質から構成される。この木ねじ７０は、ねじ穴７１から挿入され、ガイド孔７２を貫通して、螺嵌されることによって前記板同士を係止する。
【００２１】
ねじ穴７１は、木ねじ７０が螺嵌された際に木ねじ７０の頭部を係止する穴であり、木ねじ７０が螺嵌された際に木ねじ７０の頭頂部が露出しないように、座刳り加工が施されている。
【００２２】
ガイド孔７２は、ゴム製板を貫通し、木ねじ７０のねじ込みを誘導するゴム製板貫通孔であり、木ねじ７０が容易に抜脱しないようにするため、図３に示すように、木ねじ７０の径Ｄ１よりもガイド孔７２の径Ｄ２は、小さくなるよう加工されている。
そして、このねじ穴７１とガイド孔７２は、入口孔１１と背面孔２２によって構成される前記装置貫通孔の貫通方向に対して直交する方向（図１および図５の矢印Ｂの方向）に、木ねじ７０をねじ込むことができるように、列状に複数個開口される。
【００２３】
このような構成を備える生物捕獲装置１は、右側面板３０、左側面板４０、天板５０および底板６０に設けられているねじ穴７１から木ねじ７０を挿入し、ガイド孔７２に沿って木ねじ７０を螺嵌して、各板同士の係合を固定することによって組み立てられるが、ねじ穴７１には、座刳り加工が施され、木ねじ７０の頭頂部が前記各板の表面に露出しないため、木ねじ７０の出っ張りによって負傷することを防ぐことができる。
また、ガイド孔７２が設けられることによって、木ねじ７０を真直ぐに締め付けることができ、各板同士の係合が強固となる。さらに、ガイド孔７２の径が、木ねじ７０の径よりも小さくされるので、木ねじ７０は、容易に抜け落ちないようにされる。
【００２４】
次に、本実施の形態に係る生物捕獲装置１を使用する方法について説明する。図６は、当該生物捕獲装置の使用想定図である。
【００２５】
生物捕獲装置１の設置段階において、当該生物捕獲装置１における背面孔２１の牽引ロープ８０を通す方の孔に、本装置外側から牽引ロープ８０が通されて、本装置内側において、牽引ロープ８０の先端に、前記背面孔２１の径よりも大きい結び目が作られる。そして、当該牽引ロープ８０を垂らして、海中に（図６の矢印Ｅの方向）当該生物捕獲装置１が沈下される。
ここで、各ゴム製板のゴムの成分比率を調整して、生物捕獲装置１の比重を海水等よりも大きくすることによって、前記生物捕獲装置１の沈下を促進することができる。
【００２６】
その後、一定の深度まで沈下された生物捕獲装置１は、生物捕獲のため、海中に数時間または数日間放置され、前記生物捕獲装置１の回収段階において、前記牽引ロープ８０が海面方向（図６の矢印Ｆの方向）に引っ張られることによって、前記生物捕獲装置１が引き揚げられる。
ここで、正面板１０を構成するゴムの比重を、他のゴム製板を構成するゴムの比重よりも大きくすることによって、生物捕獲装置１が引き揚げられる際に、背面板２０が上方を向き、正面板１０が下方を向いた状態となる。そして、入口孔１１と背面孔２１から構成される装置貫通孔によって、背面孔２１から装置内部に入り込む海水は、入口孔１１から排出されるため、前記生物捕獲装置１の引き揚げに要する力を軽減することができる。
【００２７】
また、前記生物捕獲装置１を海中に沈めたり、海中から引き揚げたりする際に、水圧がかかる方向は、前記装置貫通孔方向となり、装置組み立て時に各板同士の係合を固定する木ねじ７０が前記装置貫通孔方向に平行する方向に螺嵌された場合、水圧によって前記木ねじ７０が、抜け落ちてしまうおそれがある。しかし、本装置において前記木ねじ７０は、前記装置貫通孔の貫通方向に対して直交する方向に螺嵌されるので、前記生物捕獲装置１を海中に沈めたり、海中から引き揚げたりする際に、水圧の過負荷によって木ねじ７０が抜け落ちることを防ぐことができる。
【００２８】
このように、本実施の形態によれば、生物捕獲装置１は、複数のゴム製板を組み合わせて固定することによって構成されるため、ゴムの弾力により本装置の耐衝撃性、耐久性を増すことができる。また、本装置の貫通孔の貫通方向に直交する方向に木ねじ７０を螺嵌することによって、前記ゴム製板同士を固定するため、木ねじ７０が抜け落ちを防止することができ、ひいては、本装置の耐久性をより増加させることができる。
【００２９】
また、本装置は、正面板１０にソーカット加工部１２を設けているため、本装置を把持する際の滑りが抑えられ、正面板の表裏面の判別が容易となる。
さらに、本装置は、各ゴム製板の各辺の縁にＲ加工部１３を設けて、角が丸められているため、本装置を把持する際に、手に切り傷等の怪我を負う危険性を低くすることができ、また、木ねじ７０を嵌入するねじ穴７１が座刳り加工とされているため、木ねじ７０の頭頂部が露出することによる弊害を防ぐこともできる。
【００３０】
（変形例）
以下、本実施の形態に係る生物捕獲装置の変形例を示す。
まず、本発明の実施の形態に係る生物捕獲装置の変形例である生物捕獲装置を構成する各部について、図を参照しながら説明する。図７は、当該生物捕獲装置の分解斜視図である。また、図９は、図７の前方部分の右側面図である。
【００３１】
この生物捕獲装置１Ａは、正面板１０ａ、背面板２０ａ、右側面板３０ａ、左側面板４０ａ、天板５０ａおよび底板６０ａが組み合わされ、各板が木ねじ７０により係止されることによって構成され、内部が中空となる直方体または立方体形状とされる点で上記実施の形態と共通するが、右側面板３０ａと天板５０ａとが連結されて第１壁部ユニット９０と、左側面板４０ａと底板６０ａとが連結されて第２壁部ユニット９１とを構成し、前記壁部ユニットの連結部分を折り曲げて装置を組み立てる点で上記実施の形態と異なる。以下、上記実施の形態と異なる点を中心に説明する。
【００３２】
正面板１０ａは、表面部にサイプ加工部１４を備え、各辺縁部に面取り加工部１５を備える。
サイプ加工部１４は、正面板１０ａの表面に設けられる凹加工であり、図７において、正面板１０ａの表面に設けられた斜線が凹突起部となる。このサイプ加工部１４は、上記実施の形態におけるソーカット加工部１２と同様に、生物捕獲装置１Ａを把持する際の滑り止めとして作用し、また、正面板１０ａの表裏面を判別し易くして、組み立て方向の誤りを防ぐことができる。さらに、サイプ加工部１４を設けることによって、装置の美的外観を向上させることができる。
【００３３】
面取り加工部１５は、正面板１０ａの各辺の縁に加えられた角部削り取り加工であり、正面板１０ａに限られず、背面板２０ａ、第１壁部ユニット９０、第２壁部ユニット９１の各辺の縁にも加えられる。
第１壁部ユニット９０は、ゴムを加硫成形して生成され、生物捕獲装置１Ａの右側壁と上壁とを構成する板であり、右側面板３０ａと、天板５０ａと、両板を連結する連結部９２とから構成される。
【００３４】
連結部９２は、右側面板３０ａと天板５０ａとを連結する部分であるとともに、第１壁部ユニット９０を折り曲げる部分である。この連結部９２は、右側面板３０ａおよび天板５０ａと一体となって生成され、当該連結部９２の厚みは、右側面板３０ａおよび天板５０ａの厚みよりも薄くされて、折り曲げが容易とされる。ここで、図７に示すＧ―Ｇ´付近は、当該連結部９２およびその周辺を示し、図８は、図７のＧ―Ｇ´付近における正面断面図を示す。そして、この連結部９２は、貼合部９３と、折曲部９４と、Ｒ加工部１３ａとを備える。なお、この連結部９２は、第２壁部ユニット９１においても同様の構成とされる。
【００３５】
貼合部９３は、連結部９２の折り曲げた際に、右側面板３０ａと天板５０ａとが当接する面を構成するように、右側面板３０ａ側と天板５０ａ側に夫々設けられた傾斜面である。
【００３６】
折曲部９４は、連結部９２が折り曲げられる部分であり、連結部９２の内側、すなわち、連結部９２の折り曲げ方向（図７および図８の矢印Ｈ方向）側に設けられる曲面であり、当該曲面によって右側面板側と天板側に夫々設けられた貼合部９３を連結する。
【００３７】
Ｒ加工部１３ａは、連結部９２の外側に設けられる曲線加工であり、連結部９２が折り曲げられた際に、右側面板３０ａと天板５０ａとの連結部分の外側が丸みを帯びるように構成される。
【００３８】
第２壁部ユニット９１は、ゴムを加硫成形して生成され、生物捕獲装置１Ａの左側壁と下壁とを構成する板であり、左側面板４０ａと、底板６０ａと、両板を連結する連結部９２とから構成される。
【００３９】
このように、本変形例によれば、右側面板３０ａと天板５０ａとが連結されて第１壁部ユニット９０を構成し、左側面板４０ａと底板６０ａとが連結されて第２壁部ユニット９１とを構成し、第１壁部ユニット９０と第２壁部ユニット９１を折り曲げて組み合わせることができ、折曲部９４が曲面とされ、折り曲げが容易となるため、組み立て工程が簡略化される。また、正面板１０ａにサイプ加工部１４を設けているため、上記実施形態におけるソーカット加工部１２を設けることと同様の作用を得ることができる。さらに、各ゴム製板の各辺の縁部に面取り加工部１５を設け、かつ、面取り加工部１５を設けることが困難である連結部９２の外側にＲ加工部１３ａを設けているため、上記実施形態におけるＲ加工部１３を設けることと同様の作用を得ることができる。
【００４０】
以上、本発明に係る生物捕獲装置について、実施の形態および変形例に基づいて説明したが、本発明は、上記実施の形態等に限定されるものではない。
例えば、上記実施の形態では、生物捕獲装置は、内部が中空の直方体または立方体の形状を有しているとしているが、直方体または立方体形状に限られることはなく、貫通孔を備えて、三角柱形状等のような多面体構造を有していればよい。
【００４１】
また、上記実施の形態および変形例においては、正面板１０等にソーカット加工１４やサイプ加工１６を設けることとしているが、背面板２０や天板５０等の他のゴム製板に設けてもよく、全てのゴム製板に設けることとしてもよい。
さらに、上記実施の形態および変形例において、ゴム製板同士の固定に木ねじを用いることとしているが、装置貫通孔の貫通方向に直交する方向に打ち付けられる釘やボルト等を用いてもよい。
【００４２】
【発明の効果】
以上、説明したように、本発明に係る生物捕獲装置は、内部が中空の生物捕獲装置であって、前記生物捕獲装置は、複数のゴム製板を組み合わせることによって構成され、生物の出入り孔となる第１開口部と、前記第１開口部に対向し、前記生物捕獲装置を牽引する牽引具の取付孔となる第２開口部と、前記第１開口部と前記第２開口部によって構成される貫通孔と、組み合わされた前記複数のゴム製板を固定する係合手段とを備え、前記係合手段の作用方向が、前記貫通孔の貫通方向と直交することを特徴とする。
【００４３】
これによって、当該生物捕獲装置を弾力のあるゴム製板によって構成するので、優れた耐衝撃性と耐久性を得ることができる。そして、当該ゴム製板を固定する係合手段の作用方向が、水圧がかかる方向に対して直交するように設けられるので、水圧等の外的要因による装置の破損や変形が発生することを抑えることができる。
【００４４】
また、本発明に係る生物捕獲装置は、前記係合手段は、木ねじの螺嵌によって、組み合わされた前記複数のゴム製板を固定し、前記木ねじが嵌入される部分が座刳りされていることを特徴とする。
これによって、木ねじの頭頂部が各面から露出しないように木ねじを螺嵌することができるので、装置を取り扱う際に、露出した木ねじの頭頂部によって負傷する危険を防ぐことができる。
【００４５】
さらに、本発明に係る生物捕獲装置は、前記複数のゴム製板の少なくとも一の辺は、Ｒ加工が施されていることを特徴とする。
これによって、各ゴム製板の各辺は尖端が丸められるため、本装置を組み立てる場合等の本装置を把持する際に、手に切り傷を負うことを防ぐことができ、本装置の取り扱い時の安全性を高く維持することができる。また、木ねじを螺嵌した後において、木ねじが螺嵌された部分の盛り上がりによって、各辺が波打ち状となることを目立たなくさせることができ、装置外観を見栄えよくすることもできる。
【図面の簡単な説明】
【図１】本発明に係る実施の形態を示す外観斜視図である。
【図２】図１の分解斜視図である。
【図３】図１に示すＡ―Ａ´付近における正面断面図である。
【図４】図１の前方部分の右側面図である。
【図５】図４に示す中心線Ｃ―Ｃ´線で切断した場合の正面断面図である。
【図６】本発明に係る実施の形態における使用想定図である。
【図７】本発明に係る実施の形態の変形例を示す分解斜視図である。
【図８】図７に示すＧ―Ｇ´付近における正面断面図である。
【図９】図７の前方部分の右側面図である。
【符号の説明】
１、１Ａ　生物捕獲装置
１０、１０ａ　正面板
１１　入口
１２　ソーカット加工部
１３、１３ａ　Ｒ加工部
１４　サイプ加工部
１５　面取り加工部
２０、２０ａ　背面板
２１　背面孔
３０、３０ａ　右側面板
４０、４０ａ　左側面板
５０、５０ａ　天板
６０、６０ａ　底板
７０　木ねじ
７１　ねじ穴
７２　ガイド孔
８０　牽引ロープ
９０　第１壁部ユニット
９１　第２壁部ユニット
９２　連結部
９３　貼合部
９４　折曲部
【図１】
2004073108.tif 000003
【図２】
2004073108.tif 000004
【図３】
2004073108.tif 000005
【図４】
2004073108.tif 000006
【図５】
2004073108.tif 000007
【図６】
2004073108.tif 000008
【図７】
2004073108.tif 000009
【図８】
2004073108.tif 000010
【図９】
2004073108.tif 000011